(57)【要約】【課題】注文に応じた大きさの生産及び施工が短時間かつ簡単にでき、しかも大部分を予め大量生産しておくことのできる内照式看板を提供すること。【解決手段】内部光源と、文字や図柄を浮かび上がらせることのできる表示材と、この表示材を固定する枠本体１０とを有する内照式看板であって、枠本体１０を、平面視「コ」字状の側枠体１１と、これらの側枠体１１の各連結端部を連結する二本の長辺枠体１２とにより構成するとともに、両側枠体１１及び長辺枠体１２の連結端部に第一連結材１３を挿入するとともに、この第一連結材１３を利用して各側枠体１１と長辺枠体１２との連結を行うようにしたこと。【選択図】図２
2006126571.tif 000002
【特許請求の範囲】
【請求項１】
内部光源と、この内部光源からの光が透過することにより、文字や図柄を浮かび上がらせることのできる表示材と、この表示材の側縁が固定されて側面を構成する少なくとも１つの枠本体とを有する内照式看板であって、
前記枠本体を、平面視「コ」字状の側枠体と、これらの側枠体の各連結端部を連結する二本の長辺枠体とにより構成するとともに、これらの側枠体及び長辺枠体とを、連結材挿入穴を有した同じ引き抜き材によって形成し、
両側枠体及び長辺枠体の連結端部に開口している前記連結挿入穴内に第一連結材を、その中央部が両側枠体及び長辺枠体間に位置するように挿入するとともに、この第一連結材を利用して各側枠体と長辺枠体との連結を行うようにしたことを特徴とする内照式看板。
【請求項２】
前記側枠体の直角コーナ部内に、この直角コーナ部を形成している前記引き抜き材の補強材挿入穴内に第二補強材を収納して、この第二補強材を利用して前記直角コーナ部の補強を行うようにしたことを特徴とする請求項１に記載の内照式看板。
【請求項３】
内部光源と、この内部光源からの光が透過することにより、文字や図柄を浮かび上がらせることのできる表示材と、この表示材の側縁を固定する少なくとも１つの枠本体とを有する内照式看板であって、
前記枠本体を、平面視「Ｌ」字状のコーナ枠体と、これらのコーナ枠体の各連結端部を連結する四本の辺枠体とにより構成するとともに、これらのコーナ枠体及び辺枠体とを、連結材挿入穴を有した同じ引き抜き材によって形成し、
両コーナ枠体及び辺枠体の連結端部に開口している前記連結挿入穴内に第一連結材を、その中央部が両コーナ枠体及び辺枠体間に位置するように挿入するとともに、この第一連結材を利用して各コーナ枠体と辺枠体との連結を行うようにしたことを特徴とする内照式看板。
【請求項４】
前記コーナ枠体の直角コーナ部内に、このコーナ部を形成している前記引き抜き材の補強材挿入穴内に第二補強材を収納して、この第二補強材を利用して前記直角コーナ部の補強を行うようにしたことを特徴とする請求項３に記載の内照式看板。
【請求項５】
前記枠本体の側面に、前記表示材の側縁の固定を行っている部分を覆うカバー板を固定するようにしたことを特徴とする請求項１〜請求項４のいずれかに記載の内照式看板。
【発明の詳細な説明】
【技術分野】
【０００１】
本発明は、内部の光源からの光を利用して、表面に種々な表示が行えるようにした内照式看板に関し、特に、大きさの調整に自由度を持たせた内照式看板に関するものである。
【背景技術】
【０００２】
内照式看板は、特許文献１〜特許文献５に記載されているように、商品、店舗の広告宣伝にあるいは案内表示その他の情報の提供に、室内外を問わず使用できる光源を内蔵したものであり、「ヒトを感知して音声等を発信する」（特許文献１）もの、「著しく電力消費が削減され、かつ光透過性カバー表面の明るさにムラのないようにした」もの（特許文献２）、あるいは「設置時その取付け作業が簡単に行え、尚且つ、設置後、電球等の光源の交換時に、蓋となる広告表示部材を開閉可能とし、このとき、広告表示部材を脱落させない」ようにしたもの（特許文献３）等、種々なものが提案されてきている。
【０００３】
特許文献４には、「枠体にシートを張設して形成する内照明式フレキシブルフェイスの看板においては、未だ不完全感をぬぐい得ない。それは特に看板の枠体にシートを取付ける為のテンションボルトに完全な物がなかった為である」ことに着目して、「略コ字状の枠体の両端にシート挿入溝を設け、該シート挿入溝に連通してシート端部の保持杆の挿通孔を設けた保持枠にボルト取付孔を設けて形成したテンション金物を用い所望の看板の構造枠体にシートを張設して看板面を構成せしめた」「看板」が提案さ
れている。
【０００４】
また、特許文献５には、「製作、施工及びメンテナンスにきわめて好都合であり、さらに高い強度と美観を備えた看板体を設けた内照式看板の提供」を目的としした「看板体」が提案されており、この看板体は、「広告枠体を看板本体枠体に対し開閉可能に係合した看板体において、看板本体枠体と公告枠体の枠体を所望断面形状を有する枠体構成部材で構成するとともに、それぞれの長辺間に連結部材を差し渡し、フレキシブルシートの張設手段にステープルを使用した」構成を有したものである。
【特許文献１】特開２００４−７７６５４号公報、要約
【特許文献２】特開２００３−１７３１５６号公報、要約
【特許文献３】特開２００４−７７６５４号公報、要約
【特許文献４】特開平１０−１２３９９０号公報、要約
【特許文献５】特開平９−１５２８４２号公報、要約、図１、図７
【発明の開示】
【発明が解決しようとする課題】
【０００５】
これらの特許文献１〜特許文献５に記載されている「内照式看板」は、その目的に応じた効果を発揮することができるものと考えられるが、これらの特許文献の「看板」では、大量生産することについては意を用いていない。つまり、この種の内照式看板は、その使用目的や設置場所に応じて大きさが様々となるのが普通であるが、特許文献１〜５の発明者は、大量生産ができるものにしようとする意志がないと考えられる。
【０００６】
一般的に、この種の内照式看板は、特許文献５の段落０００５にも記載されているように、「従来の看板製造方法では、現場において取り付け施工がそのまま看板の製造工程を兼ねる場合が殆どであり、看板の製造に多くの労力と時間を要するものであった。したがって、同サイズの看板の製作においても常に単品製作となり、生産性が著しく低かった上に、相当な熟練を必要とするもの」であった。
【０００７】
また、この種の内照式看板は、特許文献５の段落０００６にも記載されているように、「通常ビル等の建築において予め看板を取り付けることを前提として施工されるのが通常であり、看板を取り付ける建築物等の建築施工工程と同調させて進行させなければならないという不都合や、ビル等の建築後に後付けの形で看板を設置する場合などは特に手間のかかる作業を強いられていた」ものである。
【０００８】
そこで、特許文献５に記載された内照式看板では、図１３に示すような「引き抜き材」を使用して、図１４に示すような枠材を形成するものであり、最終的には、図１５に示すようなものとするのである。
【０００９】
つまり、この特許文献５の看板では、図１３に示したような引き抜き材を形成したい看板の大きさに切断して４つの辺材とし、これら４つの辺材を図１４に示したように額縁状に組み合わせて枠体とするものであるため、看板の設置前に施工現場の寸法を正確に計って加工しなければならないものであり、現場で寸法合わせができないものとなっている。
【００１０】
この特許文献５において「引き抜き材」を使用したことは、看板の各辺材を形成するための大量生産にそれなりに応じることはできるが、看板を形成するにあたって正確な寸法を決定しなければならず、もし採寸が少しでも間違っていれば再生産しなければならなくなり、施工性が良好であるとは決して考えられない。
【００１１】
そこで、本発明者等は、この種の内照式看板について、注文に応じた大きさの生産及び施工が簡単にでき、しかも予め大量生産しておけるようにするにはどうしたらよいか、について種々検討を重ねてきた結果、本発明を完成したのである。
【００１２】
すなわち、本発明の目的とするところは、注文に応じた大きさの生産及び施工が短時間かつ簡単にでき、しかも大部分を予め大量生産しておくことのできる内照式看板を提供することにある。
【課題を解決するための手段】
【００１３】
以上の課題を解決するために、まず、請求項１に係る発明の採った手段は、後述する最良の形態の説明中において使用する符号を付して説明すると、
「内部光源３０と、この内部光源３０からの光が透過することにより、文字や図柄を浮かび上がらせることのできる表示材２０と、この表示材２０の側縁が固定されて側面を構成する少なくとも１つの枠本体１０とを有する内照式看板１００であって、
枠本体１０を、平面視「コ」字状の側枠体１１と、これらの側枠体１１の各連結端部を連結する二本の長辺枠体１２とにより構成するとともに、これらの側枠体１１及び長辺枠体１２とを、連結材挿入穴１３ａを有した同じ引き抜き材によって形成し、
両側枠体１１及び長辺枠体１２の連結端部に開口している連結挿入穴１３ａ内に第一連結材１３を、その中央部が両側枠体１１及び長辺枠体１２間に位置するように挿入するとともに、この第一連結材１３を利用して各側枠体１１と長辺枠体１２との連結を行うようにしたことを特徴とする内照式看板１００」
である。
【００１４】
なお、上記及び以下において、「平面視」とは、図２に示すような状態に枠本体１０を置いたときに見える場合をいうものであり、内照式看板１００自体の設置状態に合わせた状態をいうものではない。
【００１５】
この請求項１に係る内照式看板１００は、図７に示すように、内部光源３０と、この内部光源３０からの光が透過することにより、文字や図柄を浮かび上がらせることのできる表示材２０と、この表示材２０の側縁が固定されて側面を構成する少なくとも１つの枠本体１０とを有するものであり、図１に示すように、店舗の外壁に取り付けられたり、あるいは店舗先のポール上に設けられる外看板としても使用されるものである。
【００１６】
この種の内照式看板１００の大きさや形状は、これを構成している枠本体１０の大きさや形状によって決まるものであるが、この枠本体１０の大きさや形状は設置場所に応じたものにしなければならない。そこで、この請求項１の内照式看板１００では、これを構成している枠本体１０を次のように形成して、その大きさ、特に長さを施工現場に応じて自由に設定できるようにしている。
【００１７】
すなわち、この請求項１の内照式看板１００の枠本体１０においては、図２に示すように、平面視「コ」字状の側枠体１１と、これらの側枠体１１の各連結端部を連結する二本の長辺枠体１２とにより構成したのである。これらの側枠体１１及び長辺枠体１２は、同じ形状の引き抜き材によって形成したものであるが、側枠体１１については、この引き抜き材によって平面視「コ」字状のものに予め形成（大量生産）しておき、注文があったときに各長辺枠材１２を所定寸法に切り出して、図２に示すように、各側枠体１１間に連結するのである。
【００１８】
換言すれば、この請求項１内照式看板１００は、図３〜図５に示すように、その各側枠体１１を平面視「コ」字状のものとして形成したものであるが、特に、図１の左側に示した店舗に直接取り付けられるものとして使用される場合に適したものである。内照式看板１００が店舗に直接取り付けられるものであれば、その幅（図１の左側に示した内照式看板１００では図示上下方向の長さ）は殆ど変化はないが、その横方向の長さは設置すべき店舗の大きさによって種々変化するからである。
【００１９】
この平面視「コ」字状の側枠体１１は、上述した引き抜き材によって予め工場等で大量生産されるものであるが、その製造は次のようにしてなされる。まず、この引き抜き材から、側枠体１１の縦部分となるものと、この縦部分の上下両端に固定される横部分となるものとを所定の長さに切り出して、縦部分となる引き抜き材の両端に４５度の傾斜面を形成し、２本の横部分のなる一端にも同じ４５度の傾斜面を形成する。そして、各部分の４５度の傾斜面を当接させながら、各部分の溶接を行うのである。この溶接によって形成された溶接部１１ｂは、図３に示すように現れる。
【００２０】
このようにした側枠体１１は、幅が決まっている内照式看板１００のものとして予め大量生産しておけば、長辺枠材１２の長さを施工現場の状況に合わせるだけで、注文に即応できるため、施工が短時間でかつ簡単に行える内照式看板１００とすることができる。勿論、各長辺枠材１２は、長尺な引き抜き材から所定寸法に切り出せばよい。
【００２１】
側枠体１１と長辺枠材１２とを接続するにあたっては、引き抜き材に形成してある連結挿入穴１３ａ（図５あるいは図１１参照）、つまり側枠体１１や長辺枠材１２の端部に開口している連結挿入穴１３ａ内に、図１２に示すような第一連結材１３の両端部をそれぞれ挿入して、この第一連結材１３に対して側枠体１１及び長辺枠材１２を固定するのである。勿論、第一連結材１３の外形と各連結挿入穴１３ａの内形は略同じとしてあり、この第一連結材１３の両端に側枠体１１及び長辺枠材１２を差し込むだけで三者の位置決めは正しく行えるものとしてある。
【００２２】
この第一連結材１３は、その中央部分が側枠体１１と長辺枠材１２との境界部分に位置するような長さを有したものであるから、側枠体１１と長辺枠材１２を固定する際に、短い長辺枠材１２、または長すぎた部分を切りすぎて短くなった長辺枠材１２の寸法不足を補うものである。
【００２３】
以上のように形成した枠本体１０は、図１の左側に示したタイプの内照式看板１００においては片面だけで十分であるが、図１の右側に示したタイプの内照式看板１００においては、図７にも示すように、２つ用意して互いに開閉可能に連結するようにすればよい。
【００２４】
従って、この請求項１に係る内照式看板１００は、平面視「コ」字状の側枠体１１を予め大量生産しておくことができて個別生産する必要がないだけでなく、その製造を、工場内は勿論、施工現場においても短時間内にしかも簡単に行えるものとなっているのである。
【００２５】
上記課題を解決するために、請求項２に係る発明の採った手段は、上記請求項１の内照式看板１００について、
「側枠体１１の直角コーナ部１１ａ内に、この直角コーナ部１１ａを形成している引き抜き材の補強材挿入穴１３ａ内に第二補強材１４を収納して、この第二補強材１４を利用して直角コーナ部１１ａの補強を行うようにしたこと」
である。
【００２６】
すなわち、この請求項２に係る内照式看板１００では、その側枠体１１の各直角コーナ部１１ａの補強を、内部に収納した第二連結材１４によって行い、耐久性と施工性とをより一層向上させたものであり、これらの各直角コーナ部１１ａについては、図２中の点線や部分的な実線にて示すように、図６に示すような第二連結材１４が収納してある。この第二連結材１４は、互いに直交する２本の挿入部１４ａを有していて、これら各挿入部１４ａは、側枠体１１を構成している引き抜き材に形成してあった連結挿入穴１３ａ内に挿入されるものである。なお、各挿入部１４ａには空間１４ｂが形成してあり、この空間１４ｂによって重量軽減が図られている。
【００２７】
この第二連結材１４の収納時期は、側枠体１１の縦部分に対して横部分を溶接する際である。そして、この第二連結材１４の各挿入部１４ａの外形は、挿入されるべき連結挿入穴１３ａの内形と略一致するようにしてあり、当該第二連結材１４に各部分をネジ止めしたり溶接したりしなくても、十分な補強が行えるようにしてある。
【００２８】
従って、この請求項２の内照式看板１００では、側枠体１１の直角コーナ部１１ａ内に収納してある第二連結材１４によって、当該直角コーナ部１１ａの補強が十分に行われているのであり、上記請求項１のそれと同様な機能を発揮する他、内照式看板１００全体の耐久性を高めているだけでなく、施工時における取り扱いをし易くして、施工性も向上したものとなっているのである。
【００２９】
上記課題を解決するために、請求項３に係る発明の採った手段は、
「内部光源３０と、この内部光源３０からの光が透過することにより、文字や図柄を浮かび上がらせることのできる表示材２０と、この表示材２０の側縁を固定する少なくとも１つの枠本体１０とを有する内照式看板１００であって、
枠本体１０を、平面視「Ｌ」字状のコーナ枠体１５と、これらのコーナ枠体１５の各連結端部を連結する四本の辺枠体１６とにより構成するとともに、これらのコーナ枠体１５及び辺枠体１６とを、連結材挿入穴１３ａを有した同じ引き抜き材によって形成し、
両コーナ枠体１５及び辺枠体１６の連結端部に開口している連結挿入穴１３ａ内に第一連結材１３を、その中央部が両コーナ枠体１５及び辺枠体１６間に位置するように挿入するとともに、この第一連結材１３を利用して各コーナ枠体１５と辺枠体１６との連結を行うようにしたことを特徴とする内照式看板１００」
である。
【００３０】
この請求項３の内照式看板１００は、平面視「Ｌ」字状のコーナ枠材１５を各コーナに使用した点以外は、請求項１のそれと基本的には同じであり、各コーナ枠材１５は、図８及び図９に示すような平面視形状を有しているものである。すなわち、この請求項３の内照式看板１００では、コーナ枠材１５の４つを各コーナ部に配置し、これらのコーナ枠材１５間を所定長さの辺枠材１６によって連結して枠本体１０としたものである。
【００３１】
つまり、この請求項３の内照式看板１００は、例えば図１の右側に示した内照式看板１００とするのに適したものであり、横方向は勿論、その上下方向の寸法も注文に応じたものとすることができるようにしたものである。つまり、この請求項３の内照式看板１００は、図８の縦方向に並んでいる２つのコーナ枠材１５間の寸法をも、これらの間に配置される辺枠材１６の長さ調整を行うことにより行えるようにしたものである。勿論、この内照式看板１００においても、各コーナ枠材１５と辺枠材１６とを連結する際には、請求項１の内照式看板１００においても使用した第一連結材１３を使用することは言うまでもない。
【００３２】
従って、この請求項３に係る内照式看板１００は、平面視「Ｌ」字状のコーナ枠材１５を予め大量生産しておくことができて個別生産する必要がないだけでなく、その製造を、工場内は勿論、施工現場においても短時間内にしかも簡単に行えるものとなっているのである。
【００３３】
上記課題を解決するために、請求項４に係る発明の採った手段は、上記請求項３のそれについて、
「コーナ枠体１５の直角コーナ部１５ａ内に、このコーナ部１５ａを形成している引き抜き材の補強材挿入穴１３ａ内に第二補強材１４を収納して、この第二補強材１４を利用して直角コーナ部１５ａの補強を行うようにしたこと」
である。
【００３４】
すなわちこの請求項４の内照式看板１００においても、上述した請求項２のそれの場合と同様に、各コーナ枠材１５の直角コーナ部１５ａ内に第二連結材１４を予め収納しておくことにより、各コーナ枠材１５の補強が行えるようにしたものである。
【００３５】
従って、この請求項４の内照式看板１００では、コーナ枠材１５の直角コーナ部１５ａ内に収納してある第二連結材１４によって、当該直角コーナ部１５ａの補強が十分に行われているのであり、上記請求項３のそれと同様な機能を発揮する他、内照式看板１００全体の耐久性を高めているだけでなく、施工時における取り扱いをし易くして、施工性も向上したものとなっているのである。
【００３６】
上記課題を解決するために、請求項５に係る発明の採った手段は、上記請求項１〜請求項４のいずれかの内照式看板１００について、
「枠本体１０の側面に、表示材２０の側縁の固定を行っている部分を覆うカバー板４０を固定するようにしたこと」
である。
【００３７】
すなわち、この請求項５に係る内照式看板１００は、例えば図５に示したように、枠本体１０の側面に、表示材２０の側縁の固定を行っている部分を覆うカバー板４０を固定したものである。
【００３８】
従って、この請求項５に係る内照式看板１００は、上記請求項１〜４のいずれかに係る内照式看板１００と同様な機能を発揮する他、全体が綺麗に仕上がるだけでなく、表示材２０の固定をもしっかりと行えるものとなっているのである。
【発明の効果】
【００３９】
以上説明した通り、本発明においては、
「内部光源３０と、この内部光源３０からの光が透過することにより、文字や図柄を浮かび上がらせることのできる表示材２０と、この表示材２０の側縁が固定されて側面を構成する少なくとも１つの枠本体１０とを有する内照式看板１００であって、
枠本体１０を、平面視「コ」字状の側枠体１１と、これらの側枠体１１の各連結端部を連結する二本の長辺枠体１２とにより構成するとともに、これらの側枠体１１及び長辺枠体１２とを、連結材挿入穴１３ａを有した同じ引き抜き材によって形成し、
両側枠体１１及び長辺枠体１２の連結端部に開口している連結挿入穴１３ａ内に第一連結材１３を、その中央部が両側枠体１１及び長辺枠体１２間に位置するように挿入するとともに、この第一連結材１３を利用して各側枠体１１と長辺枠体１２との連結を行うようにしたこと」
または、
「内部光源３０と、この内部光源３０からの光が透過することにより、文字や図柄を浮かび上がらせることのできる表示材２０と、この表示材２０の側縁を固定する少なくとも１つの枠本体１０とを有する内照式看板１００であって、
枠本体１０を、平面視「Ｌ」字状のコーナ枠体１５と、これらのコーナ枠体１５の各連結端部を連結する四本の辺枠体１６とにより構成するとともに、これらのコーナ枠体１５及び辺枠体１６とを、連結材挿入穴１３ａを有した同じ引き抜き材によって形成し、
両コーナ枠体１５及び辺枠体１６の連結端部に開口している連結挿入穴１３ａ内に第一連結材１３を、その中央部が両コーナ枠体１５及び辺枠体１６間に位置するように挿入するとともに、この第一連結材１３を利用して各コーナ枠体１５と辺枠体１６との連結を行うようにしたこと」
にその構成上の特徴があり、これにより、注文に応じた大きさの生産及び施工が短時間かつ簡単にでき、しかも大部分を予め大量生産しておくことのできる内照式看板１００を提供することができるのである。
【発明を実施するための最良の形態】
【００４０】
次に、以上のように構成した各請求項に係る発明を図面に示した最良の形態である内照式看板１００について説明するが、この最良形態の内照式看板１００は、図１〜図７に示した実施例１と、図８〜図１２に示した実施例２との二種類があるので、各実施例毎に説明していくこととする。
【実施例１】
【００４１】
この実施例１に係る内照式看板１００は、図７に示したように、内部光源３０と、この内部光源３０からの光が透過することにより、文字や図柄を浮かび上がらせることのできる表示材２０と、この表示材２０の側縁が固定されて側面を構成する少なくとも１つの枠本体１０とを有したものであり、図１の左側に示した内照式看板１００のように、主として、店舗の外壁に取り付けられるものである。
【００４２】
一般に、店舗の壁に直接取り付けられる内照式看板１００は、その幅（図１の左側に示した内照式看板１００では図示上下方向の長さ）は殆ど変化はないが、その横方向の長さは設置すべき店舗の大きさによって種々変化するものであるから、大きさや形状の変更といえば長さだけの変更で済む。つまり、この実施例１の内照式看板１００では、四角のものにおいて、その横方向の長さ調整だけできるようにしたものである。
【００４３】
そこで、この実施例１の内照式看板１００では、横方向の長さ調整だけが行えるようにするために、これを構成する枠本体１０を、図２に示したように、平面視「コ」字状の側枠体１１と、これらの側枠体１１の各連結端部を連結する二本の長辺枠体１２とにより構成したのである。これらの側枠体１１及び長辺枠体１２は、同じ形状の引き抜き材によって形成したものであるが、側枠体１１については、この引き抜き材によって平面視「コ」字状のものに予め形成（大量生産）しておき、注文があったときに各長辺枠材１２を所定寸法に切り出して、図２に示したように、各側枠体１１間に連結したものである。
【００４４】
この側枠体１１の形成は、次のようにしてなされる。まず、前述した引き抜き材を３本の最良に切り出し、幅を規定する一本について、その両端部を４５度の傾斜面を有したものとし、他の二本については、一つの端面に４５度の傾斜面ができるようにしておく。そして、４５度の各傾斜面が合うようにして、溶接等の手段によって一体化する。
【００４５】
この３本の引き抜き材の一体化をするにあたって、各直角コーナ部１１ａについて、図２中の点線や部分的な実線にて示したように、図６に示したような第二連結材１４を収納してから、各引き抜き材の外から溶接または固定を行った。これにより、各側枠体１１について、その各直角コーナ部１１ａの補強が第二連結材１４によって行われるのであり、枠本体１０全体の耐久性の向上と、内照式看板１００自体の施工性とを向上させたのである。
【００４６】
各第二連結材１４は、図６に示したように、互いに直交する２本の挿入部１４ａを有していて、これら各挿入部１４ａは、側枠体１１を構成している引き抜き材に形成してあった連結挿入穴１３ａ内に挿入されるものである。なお、各挿入部１４ａには空間１４ｂが形成してあり、この空間１４ｂによって重量軽減が図られている。
【００４７】
側枠体１１と長辺枠材１２とを接続するにあたっては、引き抜き材に形成してある連結挿入穴１３ａ（図５あるいは図１１参照）内に、図１２に示したような第一連結材１３の両端部をそれぞれ挿入して、この第一連結材１３に対して側枠体１１及び長辺枠材１２を固定するのである。
【００４８】
この第一連結材１３を利用して、側枠体１１及び長辺枠材１２を固定するにあたって、もし長辺枠材１２が短いものであっても、第一連結材１３は十分長いものとしてあるから長辺枠材１２の不足長さを十分吸収することができ、側枠体１１と長辺枠材１２との固定はこの第一連結材１３によって確実になされることになる。これとは逆に、長辺枠材１２が長すぎる場合には、施工現場で余分な部分を切り落とせばよいのであり、切りすぎても第一連結材１３によって補償されるから、いずれにしても側枠体１１と長辺枠材１２との固定はこの第一連結材１３によって確実になされることになる。
【００４９】
このように形成した枠本体１０に対しては、表示材２０を固定しなければならないが、この固定は図４及び図５に示したようにするとよい。側枠体１１及び長辺枠材１２を形成するための引き抜き材の外面には、図５に示したように固定残挿入溝２１ａが形成してあるから、この固定残挿入溝２１ａ内に、図４に示したように、まず表示材２０の端縁を押し込み、その上から固定桟２１を固定するのである。この固定残挿入溝２１ａは、枠本体１０の全周に位置しているから、表示材２０の４つの端縁の固定は確実になされる。
【００５０】
固定桟２１によって表示材２０を固定しただけでは剥き出しのままであるから、その外面を、図５に示したようなカバー板４０によって覆うのである。このカバー板４０の内側には留め部４１が突出形成してあり、これらの留め部４１に対応する係止部４２が引き抜き材側に形成してある。そこで、表示材２０の固定が済んだ枠本体１０の外面に対してこのカバー板４０を固定するのであるが、その際には、各留め部４１が係止部４２に係合するように行えば、当該枠本体１０に対するカバー板４０の一体化が確実になされる。
【００５１】
なお、このように形成した枠本体１０は、壁に取り付けられるタイプの内照式看板１００では一つでよいが、図１の右側に示した内照式看板１００のような、中空に浮かせるタイプのものでは、二つのものを互いに開閉自在に連結して用いるとよい。また、この枠本体１０内には、図７に示したように、内部光源３０を取り付けるための補強桟１７を組み付けておくとよい。
【実施例２】
【００５２】
次に、図８〜図１２を参照して、実施例２に係る内照式看板１００について説明すると、図８には、当該内照式看板１００を構成する枠本体１０の、完全に一体化する前の平面図が示してある。この実施例２の、実施例１と異なる点は、平面視「Ｌ」字状のコーナ枠材１５を各コーナに使用した点である。これ以外は、実施例１の内照式看板１００と基本的には同じである。
【００５３】
各コーナ枠材１５は、図８及び図９に示したような平面視形状を有しているものであり、この実施例２３の内照式看板１００では、コーナ枠材１５の４つを各コーナ部に配置し、これらのコーナ枠材１５間を所定長さの辺枠材１６によって連結して枠本体１０とするものである。
【００５４】
この実施例２の内照式看板１００は、例えば図１の右側に示した内照式看板１００とするのに適したものであり、横方向は勿論、その上下方向の寸法も注文に応じたものとすることができるようにしたものである。つまり、この内照式看板１００は、図８の縦方向に並んでいる２つのコーナ枠材１５間の寸法をも、これらの間に配置される辺枠材１６の長さ調整を行うことにより行えるようにしたものである。勿論、この内照式看板１００においても、各コーナ枠材１５と辺枠材１６とを連結する際には、実施例１において使用した第一連結材１３を使用することは言うまでもない。
【００５５】
また、この実施例２の内照式看板１００では、各コーナ枠体１５の直角コーナ部１５ａ内に、このコーナ部１５ａを形成している引き抜き材の補強材挿入穴１３ａ内に第二補強材１４を収納して、この第二補強材１４を利用して直角コーナ部１５ａの補強を行うようにしている。
【００５６】
すなわち、この実施例２の内照式看板１００においても、上述した実施例１と同様に、各コーナ枠材１５の直角コーナ部１５ａ内に第二連結材１４を予め収納しておくことにより、各コーナ枠材１５の補強が行えるようにしたものである。
【図面の簡単な説明】
【００５７】
【図１】本発明に係る内照式看板１００の使用状態を示す斜視図である。
【図２】本発明の実施例１に係る内照式看板１００を構成している枠本体１０の固定前の平面図である。
【図３】同枠本体１０を構成している側枠体１１の拡大平面図である。
【図４】同側枠体１１の拡大正面図である。
【図５】同側枠体１１及びこれに取り付けられるカバー板４０の拡大断面図である。
【図６】同側枠体１１の直角コーナ部１１ａの補強を行うための第二連結材１４の拡大斜視図である。
【図７】同枠本体１０の２つを使用して形成した内照式看板１００の斜視図である。
【図８】本発明の実施例２に係る枠本体１０の固定前の平面図である。
【図９】同枠本体１０を構成しているコーナ枠材１５の拡大平面図である。
【図１０】同コーナ枠材１５の正面図である。
【図１１】同コーナ枠材１５の断面図である。
【図１２】同側枠体１１において使用される第一連結材１３の部分斜視図である。
【図１３】従来の技術を示す部分拡大斜視図である。
【図１４】同技術で枠本体を構成している状態を示す分解斜視図である。
【図１５】従来の内照式看板１００の斜視図である。
【符号の説明】
【００５８】
１００    内照式看板
１０    枠本体
１１    側枠体
１１ａ  直角コーナ部
１１ｂ  溶接部
１２    長辺枠材
１３    第一連結材
１３ａ  連結挿入穴
１４    第二連結材
１４ａ  挿入部
１４ｂ  空間
１５    コーナ枠材
１５ａ  直角コーナ部
１６    辺枠材
１７    補強桟
２０    表示材
２１    固定桟
２１ａ  固定残挿入溝
３０    内部光源
４０    カバー板
４１    留め部
４２    係止部
【図１】
2006126571.tif 000003
【図２】
2006126571.tif 000004
【図３】
2006126571.tif 000005
【図４】
2006126571.tif 000006
【図５】
2006126571.tif 000007
【図６】
2006126571.tif 000008
【図７】
2006126571.tif 000009
【図８】
2006126571.tif 000010
【図９】
2006126571.tif 000011
【図１０】
2006126571.tif 000012
【図１１】
2006126571.tif 000013
【図１２】
2006126571.tif 000014
【図１３】
2006126571.tif 000015
【図１４】
2006126571.tif 000016
【図１５】
2006126571.tif 000017